(57)【要約】【課題】  ヘッドレールとボトムレールの間に張設されるプリーツスクリーンと、プリーツスクリーンのプリーツの山腹を抜ける昇降コード通し孔と、その昇降コード通し孔を貫通してボトムレールを昇降させる昇降コードと、プリーツピッチ保持機構とからなるプリーツスクリーン装置の製造コストを低減すると共に、スクリーン展開時の昇降コード通し孔からの光漏れを防止し、スクリーン折り畳み時の背面をすっきりさせる。【解決手段】  プリーツスクリーン装置のプリーツスクリーンのプリーツピッチを規定する広幅なテープをヘッドレールから垂下し、そのテープにプリーツスクリーンのプリーツと同数のループを等間隔で取り付け、上下に並ぶループを、プリーツスクリーンの上下に並ぶプリーツに順次配置し、各プリーツにおいて昇降コードをループに挿通する。【選択図】        図１
2005090198.tif 000002
【特許請求の範囲】
【請求項１】
ヘッドレール（２）とボトムレール（３）の間に張設されるプリーツスクリーン（１）と、前記プリーツスクリーンのプリーツ（４）の山腹を抜ける昇降コード通し孔（５）と、前記昇降コード通し孔を貫通して前記ボトムレールを昇降させる昇降コード（６）とからなるプリーツスクリーン装置において、前記プリーツスクリーンのプリーツピッチを規定するテープ（７）を前記昇降コード通し孔と重なるように前記ヘッドレールから垂下し、前記テープに前記プリーツ（４）と同数のループ（９）を等間隔に取り付け、上下に並ぶ前記ループを、前記プリーツスクリーンの上下に並ぶ各プリーツ（４）に順次配置し、各プリーツにおいて前記昇降コードを前記ループに挿通することを特徴とするプリーツスクリーン装置。
【請求項２】
ループ（９）は、テープ（７）の水平方向に離隔する２点から山形に引き出される形状であることを特徴とする請求項１に記載のプリーツスクリーン装置。
【請求項３】
テープ（７）にプリーツスクリーン（１）のプリーツ（４）と同数のプリーツ（８）が形成され、ループ（７）は前記プリーツ（８）の山又は谷から引き出されることを特徴とする請求項１又は２に記載のプリーツスクリーン装置。
【請求項４】
テープ（７）の幅は、昇降コード通し孔は（５）よりも広いことを特徴とする請求項１ないし３のいずれか１つに記載のプリーツスクリーン装置。
【請求項５】
テープ（７）は、プリーツスクリーンの背面側に張設されることを特徴とする請求項１ないし４のいずれか１つに記載のプリーツスクリーン装置。
【発明の詳細な説明】
【技術分野】
【０００１】
本発明は、プリーツスクリーンのプリーツピッチ保持機能を有するプリーツスクリーン装置に関する。
【背景技術】
【０００２】
プリーツピッチを一定に保持する機能を有するプリーツスクリーンは、スクリーン展開時の外観が良好である。従来のプリーツピッチ保持機能を有するプリーツスクリーン装置は、昇降コードの背面側において、スクリーンに沿って垂下するテープに、スクリーンの各プリーツコーナを所定のピッチで接着又は縫着する方式であるか、又は、昇降コードの背面側において、スクリーンに沿って垂下するピッチキープコードに、所定のピッチでループを設け、上下に並ぶループをスクリーンプリーツの谷に配置し、各谷において昇降コードをループに挿通する方式である。
【０００３】
従来のテープによる方式は、テープがスクリーン展開時に昇降コード通し孔からの光の漏れを防止するという効果を奏するが、テープにプリーツの各コーナを接着又は縫着するため、製造に手間がかかりコストが大幅に増大するという問題がある。他方、ピッチキープコードとループによる方式は、プリーツスクリーンを折り畳んだとき、ピッチキープコードとループが乱雑になるため、背面側の外観が見苦しい上に、スクリーン展開時には昇降コード通し孔からの光が漏れるという問題がある。
【特許文献１】実公平５−２７９０号公報
【特許文献２】特開平１０−１４８０７３号公報
【発明の開示】
【発明が解決しようとする課題】
【０００４】
本発明は、上記問題を解決するためになされたものであり、その課題は、プリーツスクリーンのプリーツピッチ保持機能を有するプリーツスクリーン装置であって、プリーツピッチ保持機能のための機構は比較的容易に製造可能であり、スクリーン展開時の昇降コード通し孔からの光の漏れは防止され、スクリーン折り畳み時の背面の外観も良好なものを提供することである。
【課題を解決するための手段】
【０００５】
前記課題を解決するため、本発明が採用する手段は、ヘッドレールとボトムレールの間に張設されるプリーツスクリーンと、プリーツスクリーンの各プリーツの山腹を抜ける昇降コード通し孔と、昇降コード通し孔を貫通してボトムレールを昇降させる昇降コードとからなるプリーツスクリーン装置において、プリーツスクリーンの展開長を規定するテープを、昇降コード通し孔と重なるようにヘッドレールから垂下し、テープにプリーツと同数のループを上下等間隔に取り付け、上下に並ぶループを、プリーツスクリーンの上下に並ぶ各プリーツに順次配置し、各プリーツにおいて昇降コードをループに挿通することである。
【０００６】
ループは、テープの水平方向に離隔する２点から山形に引き出される形状とすることが好ましい。山形に開口するループは、昇降コードの挿通が容易であり、プリーツスクリーンのプリーツ支持も二線接触で安定する。テープは、プリーツスクリーンの昇降コード通し孔よりも広幅とし、テープにはプリーツスクリーンのプリーツと同じ同数のテーププリーツを形成し、ループはそのテーププリーツの山又は谷から引き出すことが望ましい。
【発明の効果】
【０００７】
本発明のプリーツスクリーン装置は、プリーツスクリーンのプリーツピッチを規定する広幅テープを昇降コード通し孔と重なるように、ヘッドレールから垂下し、そのテープにプリーツスクリーンのプリーツと同数のループを等間隔に取り付け、上下に並ぶループを、プリーツスクリーンの各プリーツに順次配置し、そのループに昇降コードを挿通してスクリーン展開時のプリーツピッチを一定に保持するから、従来のプリーツピッチ保持機能を有するものと同様に、展開時のスクリーン表面の外観は良好である。しかし、従来のテープ方式に比べると、プリーツコーナをテープに接着も縫着もしないから、組立は至極容易であり、コストは安価である。他方、従来のプリーツピッチコード方式に比べると、広幅なテープが、スクリーンの折り畳み時のループを被覆し、展開時のスクリーン昇降コード孔からの光漏れを防止する点で優れる。
【発明を実施するための最良の形態】
【０００８】
図面に示す本発明プリーツスクリーン装置の実施例に基づいて、本発明を説明する。図１は実施例の展開正面図、図２は実施例の折り畳み背面を示す斜視図、図３は実施例の部分拡大斜視図である。
【０００９】
図１に示すように、上下にジグザグ状に屈曲するプリーツスクリーン１は、上側のヘッドレール２と下側のボトムレール３の間に張設される。プリーツスクリーン１の各プリーツ４の山腹に昇降コード通し孔５が開けられ、その昇降コード通し孔５を昇降コード６が貫通する。昇降コード６の下端はボトムレール３に接続され、昇降コード６をボトムレール３の自重で下降させると、プリーツスクリーン１は展開され、引き上げると、プリーツスクリーン１は折り畳まれる。破線で示すように、背面側において、ヘッドレール２から昇降コード通し孔５よりも広幅のテープ７を垂下する。そのテープ７の下端はボトムレール３に固定してもしなくてもよい。テープ７の全長は、所定のプリーツ４を形成するプリーツスクリーン１の展開長を規定する。
【００１０】
図２に示すように、ヘッドレール２とボトムレール３の間に張設するテープ７は、プリーツスクリーン１のプリーツ４と同数のプリーツ８を有し、プリーツスクリーン１を折り畳むと、テープ７はプリーツ８が背面側に突出する対立状態で折り畳まれる。
【００１１】
図３に示すように、背面において、プリーツスクリーン１のプリーツ４とテープ７のプリーツ８は、山と谷がそれぞれ対応する。テープ７のプリーツ８の各山にプリーツスクリーン１の各谷へ突出するループ９が取り付けられる。上下に並ぶループ９は、同じく上下に並ぶプリーツスクリーン１のプリーツ８の谷に順次配置される。そこで、ループ９にプリーツ８の谷を通る昇降コード６が挿通される。各ループ９はテープ７の水平方向に離隔する２点から山形に突出してプリーツスクリーン１のプリーツ４を二線接触で安定に支持する。
【００１２】
プリーツスクリーン１の展開時には、プリーツスクリーン１のプリーツ４は、等ピッチのループ９により下支えされるため、上から下まで一定間隔となり、正面の外観は良好である。又、背面のテープ７が、昇降コード通し孔５を被覆するため、昇降コード孔５からの光漏れは防止される。プリーツスクリーン１の折り畳み時には、テープ７が弛緩するループ９の露出を防止するから、背面の外観もすっきりする。
【実施例】
【００１３】
次に別の実施例について説明する。図４は、別の実施例の図２に相等する図、図５は図２の実施例の部分側面図である。
【００１４】
図４に示すように、ヘッドレール２とボトムレール３の間に張設するテープ７ａは、プリーツスクリーン１のプリーツ４と同数のプリーツ８ａを有するが、プリーツスクリーン１を折り畳むと、テープ７ａはプリーツ８ａが正面側に突出してプリーツスクリーン１のプリーツ４と重合する状態で折り畳まれる。
【００１５】
図５に示すように、半展開時のプリーツスクリーン１の背面において、プリーツスクリーン１のプリーツ４とテープ７ａのプリーツ８ａは、山同士谷同士が対応する。テープ７ａのプリーツ８ａの谷にプリーツスクリーン１へ突出するループ９ａが取り付けられる。上記以外の構成及び効果は、前記実施例と同じである。
【図面の簡単な説明】
【００１６】
【図１】実施例の展開時の正面図、
【図２】実施例の折り畳み時の背面の要部を示す斜視図、
【図３】図１に示す実施例の部分拡大斜視図、
【図４】別の実施例の図２に相当する図、
【図５】図４に示す実施例の半展開時の部分拡大側面図。
【符号の説明】
【００１７】
１：プリーツスクリーン
２：ヘッドボックス
３：ボトムレール
４：プリーツ
５：昇降コード通し孔
６：昇降コード
７，７ａ：テープ
８、８ａ：プリーツ
９、９ａ：ループ
【図１】
2005090198.tif 000003
【図２】
2005090198.tif 000004
【図３】
2005090198.tif 000005
【図４】
2005090198.tif 000006
【図５】
2005090198.tif 000007